(57)【要約】【課題】振動の大小に関わらず安定的な制振効果を十分に発揮し得る新たな壁構造、建物、及び壁パネルの取り付け方法を提供する。【解決手段】本発明の壁構造１は、層間変形時に搖動するように建物躯体に取り付けられた隣接する２枚の壁パネル２と、２枚の壁パネル２を連結するように取り付けられ、２枚の壁パネル２が搖動した際に、２枚の壁パネル２に対する各取り付け部４１、４２の間の部分４３の伸縮によりエネルギーを吸収するとともに、２枚の壁パネル２によって圧縮時の座屈が抑制されるように構成された連結部材４と、を備えることを特徴とする。【選択図】図１
2019100140.tif 000002
【特許請求の範囲】
【請求項１】
層間変形時に搖動するように建物躯体に取り付けられた隣接する２枚の壁パネルと、
前記２枚の壁パネルを連結するように取り付けられ、前記２枚の壁パネルが搖動した際に、前記２枚の壁パネルに対する各取り付け部の間の部分の伸縮によりエネルギーを吸収するとともに、前記２枚の壁パネルによって圧縮時の座屈が抑制されるように構成された連結部材と、を備える壁構造。
【請求項２】
前記２枚の壁パネルの間に形成される接合部において、前記２枚の壁パネルによって挟まれた状態が保たれることで、前記連結部材の圧縮時の座屈が抑制される、請求項１に記載の壁構造。
【請求項３】
前記連結部材は板状であって、
前記２枚の壁パネルの互いに対向する面に挟まれた状態が保たれることで、前記連結部材の面外方向への座屈が抑制される、請求項１又は２に記載の壁構造。
【請求項４】
前記連結部材は、前記２枚の壁パネルに内包されるように取り付けられている、請求項１〜３のいずれか一項に記載の壁構造。
【請求項５】
前記２枚の壁パネルの間に形成される接合部において、
前記２枚の壁パネルのうち一方の壁パネルには凸部が形成されるとともに他方の壁パネルには凹部が形成されており、
前記連結部材は、前記凸部の先端面と前記凹部の底面とに挟まれている、請求項１〜４のいずれか一項に記載の壁構造。
【請求項６】
前記壁パネルは、両端面に凹部が形成された壁部材と実とを備え、
前記凸部は、前記壁部材の一方の凹部に嵌め込まれるとともに該壁部材に一体に固定される前記実によって構成されている、請求項５に記載の壁構造。
【請求項７】
前記連結部材は、前記２枚の壁パネルの対向する面のそれぞれに締結具で取り付けられ、
一方の壁パネルにおける、他方の壁パネルに前記連結部材を取り付ける前記締結具に対応する位置に、前記締結具を挿通可能な貫通孔が形成されている、請求項１〜６のいずれか一項に記載の壁構造。
【請求項８】
前記連結部材と前記実との当接面において、
前記連結部材の前記壁パネルの厚さ方向の長さは、前記実の前記壁パネルの厚さ方向の長さよりも短い、請求項６に記載の壁構造。
【請求項９】
請求項１〜８の何れか一項に記載の壁構造を備えた、建物。
【請求項１０】
平面視での外形が、長辺と短辺を有する略矩形状の建物であって、
前記短辺を構成する壁が、請求項１〜８の何れか一項に記載の壁構造を備え、
前記長辺を構成する外壁が、軽量気泡コンクリートパネルを備える、建物。
【請求項１１】
隣接する２枚の壁パネルの間に挟まれた状態で、前記２枚の壁パネルを連結するように前記連結部材を取り付ける、連結部材の取り付け方法であって、
第１の壁パネルに連結部材の第１の取り付け部を取り付ける工程と、
前記第１の壁パネルと第２の壁パネルとを当接または近接させる工程と、
前記第１の壁パネルに設けられた貫通孔を挿通させた締結具によって、前記連結部材の第２の取り付け部を前記第２の壁パネルに取り付ける工程と、を含む連結部材の取り付け方法。
【請求項１２】
隣接する２枚の壁パネルの間に挟まれた状態で、前記２枚の壁パネルを連結するように前記連結部材を取り付ける、連結部材の取り付け方法であって、
第１の壁パネルは、実と壁部材とで構成され、
前記連結部材の前記第１の取り付け部を前記実に取り付ける工程と、
前記実に設けられた貫通孔を挿通させた締結具によって、前記連結部材の第２の取り付け部を第２の壁パネルに取り付ける工程と、
前記実を前記壁部材に取り付ける工程と、を含む連結部材の取り付け方法。
【発明の詳細な説明】
【技術分野】
【０００１】
本発明は、壁構造、建物、及び連結部材の取り付け方法に関する。
【背景技術】
【０００２】
従来から、建物を構成する壁構造の一例として、建物の躯体に対して揺動可能に取り付けられた複数の壁パネルを備えるロッキング構法が知られている。このロッキング構法では、各壁パネルが上下端部において、梁や基礎等の躯体にそれぞれ揺動可能に取り付けられており、地震等により層間変形が生じた際には、隣接配置された壁パネルの相互間で目地長さ方向に相対的な変位が生じるよう構成されている。換言すると、隣接配置された壁パネル同士は、相互に目地長さ方向に沿って移動可能に保持されている。
【０００３】
このようなロッキング構法の壁を有する建物の制振技術として、隣接配置された壁パネルの接合部に、粘弾性体を備えた制振部材を設けることが提案されている（特許文献１参照）。特許文献１の壁構造は、粘弾性体を一対の保持部材で挟持した接合部材を、接合部の両側の壁パネルに取り付ける、というものである。
【０００４】
このような制振構造によれば、地震によって壁パネルが揺動（ロッキング動作）し、壁パネル相互間に目地長さ方向に沿う変位が生じた際に、接合部の粘弾性体に伝達された振動エネルギーが当該粘弾性体の内部摩擦によって吸収されることにより、振動を減衰させることができる。
【先行技術文献】
【特許文献】
【０００５】
【特許文献１】特開２００９−１５５８５７号公報
【発明の概要】
【発明が解決しようとする課題】
【０００６】
ところで、特許文献１に記載された壁構造のように、粘弾性体により制振効果を得ようとする場合、粘弾性体の材料特性のばらつき等に起因して、安定した性能が得られない場合がある。
【０００７】
また、粘弾性体の変形が過度に進むと接合部が損傷する虞があり、比較的振幅が小さいレベルでは一定の制振効果を得ることができるものの、振幅が大きくなると、効果が十分に発揮されない虞がある。
【０００８】
そこで本発明は、振動の大小に関わらず安定的な制振効果を十分に発揮し得る新たな壁構造、建物、及び連結部材の取り付け方法を提供することを目的とするものである。
【課題を解決するための手段】
【０００９】
本発明の壁構造は、層間変形時に搖動するように建物躯体に取り付けられた隣接する２枚の壁パネルと、
前記２枚の壁パネルを連結するように取り付けられ、前記２枚の壁パネルが搖動した際に、前記２枚の壁パネルに対する各取り付け部の間の部分の伸縮によりエネルギーを吸収するとともに、前記２枚の壁パネルによって圧縮時の座屈が抑制されるように構成された連結部材と、を備えることを特徴とするものである。
【００１０】
なお、本発明の壁構造は、前記２枚の壁パネルの間に形成される接合部において、前記２枚の壁パネルによって挟まれた状態が保たれることで、前記連結部材の圧縮時の座屈が抑制されることが好ましい。
【００１１】
また、本発明の壁構造は、前記連結部材は板状であって、
前記２枚の壁パネルの互いに対向する面に挟まれた状態が保たれることで、前記連結部材の面外方向への座屈が抑制されることが好ましい。
【００１２】
また、本発明の壁構造は、前記連結部材は、前記２枚の壁パネルに内包されるように取り付けられていることが好ましい。
【００１３】
また、本発明の壁構造は、前記２枚の壁パネルの間に形成される接合部において、
前記２枚の壁パネルのうち一方の壁パネルには凸部が形成されるとともに他方の壁パネルには凹部が形成されており、
前記連結部材は、前記凸部の先端面と前記凹部の底面とに挟まれていることが好ましい。
【００１４】
また、本発明の壁構造は、前記壁パネルは、両端面に凹部が形成された壁部材と実とを備え、
前記凸部は、前記壁部材の一方の凹部に嵌め込まれるとともに該壁部材に一体に固定される前記実によって構成されていることが好ましい。
【００１５】
また、本発明の壁構造は、前記連結部材は、前記２枚の壁パネルの対向する面のそれぞれに締結具で取り付けられ、
一方の壁パネルにおける、他方の壁パネルに前記連結部材を取り付ける前記締結具に対応する位置に、前記締結具を挿通可能な貫通孔が形成されていることが好ましい。
【００１６】
また、本発明の壁構造は、前記連結部材と前記実との当接面において、
前記連結部材の前記壁パネルの厚さ方向の長さは、前記実の前記壁パネルの厚さ方向の長さよりも短いことが好ましい。
【００１７】
また、本発明の建物は、上記の何れかの壁構造を備えることを特徴とするものである。
【００１８】
また、本発明の建物は、平面視での外形が、長辺と短辺を有する略矩形状の建物であって、
前記短辺を構成する壁が、上記の何れか一項に記載の壁構造を備え、
前記長辺を構成する外壁が、軽量気泡コンクリートパネルを備えることを特徴とするものである。
【００１９】
また、本発明の連結部材の取り付け方法は、隣接する２枚の壁パネルの間に挟まれた状態で、前記２枚の壁パネルを連結するように前記連結部材を取り付ける、連結部材の取り付け方法であって、
第１の壁パネルに連結部材の第１の取り付け部を取り付ける工程と、
前記第１の壁パネルと第２の壁パネルとを当接または近接させる工程と、
前記第１の壁パネルに設けられた貫通孔を挿通させた締結具によって、前記連結部材の第２の取り付け部を前記第２の壁パネルに取り付ける工程と、を含むことを特徴とするものである。
【００２０】
また、本発明の連結部材の取り付け方法は、隣接する２枚の壁パネルの間に挟まれた状態で、前記２枚の壁パネルを連結するように前記連結部材を取り付ける、連結部材の取り付け方法であって、
第１の壁パネルは、実と壁部材とで構成され、
前記連結部材の前記第１の取り付け部を前記実に取り付ける工程と、
前記実に設けられた貫通孔を挿通させた締結具によって、前記連結部材の第２の取り付け部を第２の壁パネルに取り付ける工程と、
前記実を前記壁部材に取り付ける工程と、を含むことを特徴とするものである。
【発明の効果】
【００２１】
本発明によれば、振動の大小に関わらず安定的な制振効果を十分に発揮し得る新たな壁構造、建物、及び連結部材の取り付け方法を提供することができる。
【図面の簡単な説明】
【００２２】
【図１】本発明に係る壁構造の一実施形態を示す斜視図である。
【図２】図１における２枚の壁パネルの間に連結部材を取り付ける様子を示す斜視図である。
【図３】制振部材の一例を示す斜視図である。
【図４】平面視での隣接する壁パネルの接合部の一例を示す断面図である。
【図５】壁パネルがロッキング動作する際の、制振部材に付加される力の一例を示す。
【図６】図５とは異なる方向に壁パネルがロッキング動作する際の、制振部材に付加される力の一例を示す。
【図７】本発明に係る壁構造の他の実施形態を示す斜視図である。
【図８】図７の壁構造における、接合部の平面視における断面図である。
【図９】図７の壁構造における、組立て過程を示す図である。
【図１０】本発明に係る建物の一例を示す平面図である。
【図１１】本発明の壁構造の変形例における、接合部の平面視における断面図である。
【図１２】本発明の壁構造の他の変形例における、接合部の平面視における断面図である。
【図１３】図１１、１２に示す壁構造の正面図の一例である。
【図１４】図１１、１２に示す壁構造の正面図の他の例である。
【発明を実施するための形態】
【００２３】
以下、本発明に係る壁構造の実施形態について、図面を参照して説明する。図１に示す本実施形態の壁構造１は、建物の壁を構成する複数の壁パネル２と、隣接する壁パネル２の間に形成される接合部３に配置され、制振効果を発揮する連結部材４とを備える。
【００２４】
ここで、壁構造１を備える建物の一例の全体構成について説明する。建物は、例えば、鉄骨造の軸組みを有する２階建ての住宅とすることができる。このような建物は、例えば、地盤に支持された鉄筋コンクリート造の布基礎等である基礎構造体（基礎７）と、柱部材や梁部材（梁１１）などの軸組部材で構成された軸組架構を有し、基礎構造体に支持された上部構造体と、で構成される。なお、軸組架構を構成する軸組部材は、予め規格化（標準化）されたものであり、予め工場にて製造されたのち建築現場に搬入されて組み立てられる。同様に、壁パネル２も予め工場にて製造することができる。また、壁構造１を構成する壁パネル２の端面（対向する面）６に連結部材４を固定した状態のものや、さらに複数の壁パネル２を接合部３に連結部材４を取り付けた状態で一体化したものを予め工場で製造し、建築現場で組み立てることも可能である。なお、本発明は、鉄骨および木材の梁材と柱材とによって骨組みが形成された複数の建物ユニットを連結させたユニット建物にも適用可能である
【００２５】
上部構造体は、複数の柱部材及び柱部材間に架設された複数の梁部材から構成される軸組架構と、この軸組架構の外周部に配置される外壁と、軸組架構の内部に配置される間仕切壁と、を備える。なお、本発明の壁構造１は、建物の内部において空間を区画する間仕切壁としても、屋内と屋外とを区画する外壁としても採用することができる。
【００２６】
図１に示す複数の壁パネル２は、所謂ロッキング構法によって建物を構成する躯体に取り付けられる。すなわち、各壁パネル２は、上下に設けられた壁パネル取付部５で躯体に支持されており、地震時の層間変形等により支持点（壁パネル取付部５）が変位した場合には、壁パネル２が２つの支持点（壁パネル取付部５）を軸として適度に揺動、つまりロッキング動作するようになっている。本例において、壁パネル取付部５は、各壁パネル２の長手方向両端部付近で、幅方向の中央にそれぞれ設けられている。また、隣接する壁パネル２は、端面６同士を突き合わせるように配置され、壁パネル２の境界に、接合部３が形成される。なお、本発明の壁構造１は、隣接する壁パネル２を有していれば、必ずしも所謂ロッキング構法で構成されていなくてもよい。
【００２７】
図１に示すように、本例の壁パネル２の下部は、基礎７に予め埋設されたアンカーボルトを介して、基礎７に固定された断面がＴ字状の金物８と、当該金物８における垂直部８ａに固定された取付金物９と、当該取付金物９に取り付けられるボルト１０等の締結部材とを介して基礎７に取り付けられている。
【００２８】
また、本例の壁パネル２の壁パネル２の上部は、梁１１に固定されたアングル材等の壁受金物１２、並びに、壁パネル２に取り付けられて壁受金物１２の垂直部１２ａに係合するパネル取付金物１６に取り付けられるボルト１０等を介して、支持点（壁パネル取付部５）が当該梁１１に対して揺動可能に取り付けられている。図示例は、壁構造１を外壁として採用する場合を示しており、この場合、躯体に壁パネル２を取り付けるための金物（金物８、取付金物９、壁受金物１２、及びパネル取付金物１６等）が壁パネル２の厚さ方向の一方側に配置されている。これにより、躯体に壁パネル２を取り付けるための金物が壁パネル２の外側から視認できないように配置することができる。なお、壁構造１を間仕切壁として使用する場合には、壁パネル２の外側に金物が露出するように配置してもよい。その場合、基礎または梁等の躯体に固定された金物の垂直部を壁パネル２の厚さ方向両側から挟み込むように配置することができる。なお、壁パネル２が基礎７及び梁１１に対して相対的に揺動可能であれば、取り付け方法は特に限定されない。
【００２９】
連結部材４は、長手方向両端部が、接合部３を挟んで隣接する壁パネル２にそれぞれ直接的または間接的に固定される。図３に示すように、本例における連結部材４は、長手方向の一端部である第１の取り付け部４１と、他端部である第２の取り付け部４２と、それらの間に位置する幅狭のくびれ部４３とを有する。なお、本例では、第１の取り付け部４１と第２の取り付け部４２が同形状となっているが、これに限られない。くびれ部４３は、第１の取り付け部４１及び第２の取り付け部４２に比べて幅が狭くなっている。すなわち、くびれ部４３は、第１の取り付け部４１及び第２の取り付け部４２よりも座屈しやすくなっており、例えば連結部材４の長手方向に沿う伸縮方向（引張り方向もしくは圧縮方向）の力が付加された際に、当該くびれ部４３が優先的に変形するように構成されている。なお、本例の連結部材４は、細長い略長方形状の鋼板により形成されているが、連結部材４の材質及び形状はこれに限られない。例えば、連結部材４の材質の一例としては、鋼材よりも降伏点が低い低降伏点鋼、または、エンジニアリングプラスチック等とすることができる。また、連結部材４の形状の一例としては、第１の取り付け部４１及び第２の取り付け部４２を直方体、立方体、もしくは円柱等の柱状とし、それらの間に位置するくびれ部４３を、第１の取り付け部４１及び第２の取り付け部４２よりも細い柱状もしくは筒状の棒状部材とすることも可能である。その場合、くびれ部４３の断面形状は円形、楕円形、多角形等とすることができ、くびれ部４３は、直線状に延在していてもよいし、直線状ではなく湾曲したり、屈曲したりしていてもよい。
【００３０】
第１の取り付け部４１及び第２の取り付け部４２には、複数の孔４４が形成されており、ねじ１３やくぎ等の締結具をこの孔４４に挿通させることで、壁パネル２に連結部材４を容易に固定することができる。
【００３１】
以下に、図２を参照して、本実施形態の壁パネル２の取り付け方法について説明する。先ず、隣接配置される２枚の壁パネル２ａ、２ｂのうちの一方の壁パネル２ａに、連結部材４ａを取り付ける。具体的には、壁パネル２ａの端面６ａにおける上側の窪み部６１ａに連結部材４ａを配置し、一方の取り付け部（例えば第１の取り付け部４１ａ）を、ねじ１３ａ等の締結具を用いて（第１の取り付け部４１ａの孔４４ａに挿通させて）壁パネル２ａに固定する。
【００３２】
同様に、壁パネル２ａにおける下側の窪み部６１ｂにも、連結部材４ｂを取り付ける。具体的には、窪み部６１ｂに連結部材４ｂを配置し、第１の取り付け部４１ｂを、ねじ１３ｂ等の締結具を用いて（第１の取り付け部４１ｂの孔４４ｂに挿通させて）壁パネル２ａに固定する。
【００３３】
次いで、壁パネル２ａと壁パネル２ｂとを当接または近接させる。具体的に、連結部材４ａ及び連結部材４ｂを、壁パネル２ａの端面６ａと、対向する壁パネル２ｂの端面６ｂとの間に挟むように他方の壁パネル２ｂを配置する。そして、壁パネル２ａに予め形成された上側の貫通孔１４ａに、ねじ１３ｃ等の締結具を挿通させて、他方の取り付け部（この場合、第２の取り付け部４２ａ）を他方の壁パネル２ｂに固定する。このとき、第２の取り付け部４２ａの孔４４ｃにねじ１３ｃ挿通させて固定する。貫通孔１４ａは、一方の壁パネル２ａにおける、他方の壁パネル２ｂに連結部材４ａを取り付ける締結具（ねじ１３ｃ）に対応する位置に形成されている。
【００３４】
上側と同様に、下側の貫通孔１４ｂに、ねじ１３ｄ等の締結具を挿通させて、第２の取り付け部４２ｂを壁パネル２ｂに固定する。このとき、第２の取り付け部４２ｂの孔４４ｄにねじ１３ｄを挿通させて固定する。貫通孔１４ｂは、一方の壁パネル２ａにおける、他方の壁パネル２ｂに連結部材４ｂを取り付ける締結具（ねじ１３ｄ）に対応する位置に形成されている。
【００３５】
このようにして、連結部材４ａ、４ｂは、隣接する２枚の壁パネル２ａ、２ｂの、対向する端面６ａ、６ｂに挟まれた状態で保持される。そのため、連結部材４ａ、４ｂのくびれ部４３ａ、４３ｂが長手方向以外の方向、特に連結部材４ａ、４ｂの厚さ方向（面外方向）に座屈変形しようとすると、壁パネル２ａ、２ｂに接触して当該面外座屈を抑制される。すなわち、連結部材４は、面外座屈を抑制された状態で配置されることとなる。なお、貫通孔１４ａ、１４ｂはそれぞれ、壁パネル２ａ、２ｂを幅方向に貫通している。貫通孔１４ａ、１４ｂは、１つでもよいし、複数でもよく、連結部材４ａ、４ｂの孔４４ｃ、４４ｄに対応する位置に設ける。また、壁パネル２ｂにも貫通孔を設けて、当該貫通孔を挿通させたねじ等の締結具を用いて（第１の取り付け部４１ａの孔４４ａに挿通させて）、連結部材４の第１の取り付け部４１ａを、壁パネル２ａに取付けてもよい。
【００３６】
このように、本実施形態の連結部材４ａ、４ｂの取り付け方法は、隣接する２枚の壁パネル２ａ、２ｂの間に挟まれた状態で、２枚の壁パネル２ａ、２ｂを連結するように連結部材４ａ、４ｂを取り付ける、連結部材４ａ、４ｂの取り付け方法であって、第１の壁パネル２ａに連結部材４ａ、４ｂの第１の取り付け部４１ａ、４１ｂを取り付ける工程と、第１の壁パネル２ａと第２の壁パネル２ｂとを当接または近接させる工程と、第１の壁パネル２ａに設けられた貫通孔１４ａ、１４ｂを挿通させた締結具１３ｃ、１３ｄによって、連結部材４ａ、４ｂの第２の取り付け部４２ａ、４２ｂを第２の壁パネル２ｂに取り付ける工程と、を含むものである。
【００３７】
このような方法によれば、図２に二点鎖線で示すように、壁パネル２ｂに予め隣接して配置された壁パネル２ｃ等の他の構成（壁パネルに限られない）があった場合でも、壁パネル２ｂと壁パネル２ａの間に連結部材４ａ、４ｂを取り付けることが可能となる。
【００３８】
ここで、図４の平面視での断面図にも示すように、壁パネル２ａの端面６ａに窪み部６１ａ（６１ｂ）を設けて、その窪み部６１ａ（６１ｂ）に連結部材４ａ（４ｂ）を配置する構成としてもよい。このように、連結部材４ａ（４ｂ）を、壁パネル２ａ、２ｂに内包されるように取付けることで、接合部３に隙間が生じないため、接合部３の外側から連結部材４が視認し難くなり、壁構造１の外観性能を高めることができる。なお、図１に示す例では、窪み部６１を省略している。また、図２、４に示す例では一方の壁パネル２ａのみに窪み部６１ａ（６１ｂ）を形成しているが、他方側の壁パネル２ｂのみに窪み部６１を設けてもよいし、両方の壁パネル２ａ、２ｂに窪み部６１を設けてもよい。
【００３９】
図５、６は、地震等により壁パネル２ａ、２ｂがロッキング動作する際の、連結部材４に付加される力を示している。地震による層間変形等により、隣接する２枚の壁パネル２ａ、２ｂがロッキング動作した際には、壁パネル２ａと壁パネル２ｂとの間で、接合部３の長手方向に沿う相対的な変位が生じる。
【００４０】
例えば、図５に示す方向に壁パネル２ａ、２ｂがロッキング動作した場合、図５の右側の壁パネル２ｂに固定された連結部材４の第１の取り付け部４１と、左側の壁パネル２ａに固定された第２の取り付け部４２とは、接合部３の長手方向（壁パネル２の長手方向）に沿って離間する方向に相対的な変位が生じる。すなわち、図５に矢印で示すように、連結部材４には、引張り方向の力が加わることとなる。
【００４１】
一方で、図６に示す方向に壁パネル２ａ、２ｂがロッキング動作した場合には、連結部材４の第１の取り付け部４１と第２の取り付け部４２とが近接する方向に、壁パネル２ａ、２ｂの相対的な変位が生じる。すなわち、図６に矢印で示すように、連結部材４には、圧縮方向の力が加わることとなる。このとき、連結部材４は、接合部３両側の壁パネル２ａ、２ｂの対向する端面６ａ、６ｂに挟まれることで面外方向の座屈を抑制されている。このため、連結部材４の、特にくびれ部４３が安定的に伸縮変形し、所期した制振効果を安定的に発揮することとなる。
【００４２】
このように、地震によって建物に生じた振動エネルギーは、連結部材４に、伸縮方向の力に変換されて伝達される。そして、伝達された伸縮方向の力は、連結部材４の、特にくびれ部４３の伸縮変形により吸収される（一部は熱エネルギーに変換される）。その結果、本実施形態の壁構造１によれば、建物の振動を減衰する安定した制振効果を得ることができる。
【００４３】
また、鋼板により形成された本例の連結部材４は、粘弾性体のように材料特性のばらつきが少ないため、安定した制振性能を得ることができる。また、接合部３に粘弾性体を接着する場合に比べて、壁パネル２に対して固定される部分（本例では、第１の取り付け部４１及び第２の取り付け部４２）の強度が高いため、振幅が大きくなっても制振効果を十分に発揮することができる。すなわち、振動の大小に関わらず安定的な制振効果を十分に発揮することができる。なお、上記のような観点から、連結部材４は、金属製であることが好ましく、本例のように鋼材からなることがより望ましい。また、連結部材４は板状であることが好ましく、これによれば、接合部３に配置し易い。また、図４のように端面６ａに設けた窪み部６１ａ（６１ｂ）に連結部材４を配置する場合には、連結部材４は板状であると、当該窪み部６１ａ（６１ｂ）の形状が複雑にならず、窪み部６１ａ（６１ｂ）の形成が容易となる。
【００４４】
ここで、壁パネル２は、木質板であることが好ましく、より好適には、厚さが４０ｍｍ以上の木質の厚板であることが望ましい。なお、壁パネル２は、木質の集成材としてもよい。壁パネル２を木質板とすることにより、連結部材４の面外座屈を効果的に抑制することができるので、連結部材４による制振機能をより確実に発揮することができる。また、木質板は、貫通孔１４を設ける加工等も容易であり、また、連結部材４の取り付けも容易である。なお、壁パネル２は、その端面６により連結部材４の面外座屈を拘束する拘束材として機能し得るものであれば、木質板に限られず、WOOD.ALC（登録商標）、CLT（Cross Laminated Timber：クロス・ラミネイティド・ティンバー）、またはLVL（Laminated Veneer Lumber：単板積層材）等の他の木質系パネル材や、プレキャストコンクリート板等で構成されていてもよい。また、同様の理由により、壁パネル２は、強度等級がE50以上であることが好ましい。
【００４５】
図７は、本発明の他の実施形態としての壁構造２０を示している。なお、上述した実施形態と基本的な機能が同一である部分は、図中、同一の符号を付して説明を省略する。
【００４６】
本例の壁構造２０は、接合部３において、隣接する２枚の壁パネル２ｄ、２ｅのうち一方の壁パネル２ｄには凸部２１が形成されるとともに他方の壁パネル２ｅには凹部２２が形成されており、連結部材４ｃは、凸部２１の先端面２３（実２７の側面）と凹部２２の底面２４とに挟まれている。
【００４７】
壁パネル２ｄは、両端面（両側の端面６ｄ、６ｅ）に凹部２５ａ、２５ｂが形成された壁部材２６と、上記の凸部２１を構成する実２７（雇い実）とを備える。すなわち、壁パネル２ｄの凸部２１は、壁部材２６の一方の凹部２５ａに嵌め込まれるとともに壁部材２６に一体に固定される実２７によって構成されている。なお、実２７は、例えばLVL、集成材、製材、鋼材等で構成される。
【００４８】
本例の壁パネル２ｅは、壁パネル２ｄを構成する壁部材２６と同形状となっている。また、壁パネル２ｅの端面６ｃの凹部２２には、連結部材４ｃが入り込む窪み部２８ａ、２８ｂが形成されている。
【００４９】
本例の壁構造２０を組み立てる際には、先ず、連結部材４ｃの第１の取り付け部４１ｃを実２７の側面（端面）２３にねじ１３ｅ等の締結具で（第１の取り付け部４１ｃの孔４４ｅに挿通させて）固定する。同様に、連結部材４ｃの下側において、実２７の側面（端面）２３に連結部材４ｄの取り付け部４１ｄを、ねじ１３ｆ等の締結具で（第１の取り付け部４１ｄの孔４４ｆに挿通させて）取り付ける。
【００５０】
次いで、実２７に固定した連結部材４ｃ、４ｄを実２７と壁パネル２ｅで挟み込むように、壁パネル２ｅの凹部２２に実２７を嵌め込む。そして、実２７に形成された貫通孔２９ａを挿通させたねじ１３ｇ等の締結具で（第２の取り付け部４２ｃの孔４４ｇに挿通させて）第２の取り付け部４２ｃを壁パネル２ｅに固定する。同様に、実２７に形成された貫通孔２９ｂを挿通させたねじ１３ｈ等の締結具で（第２の取り付け部４２ｄの孔４４ｈに挿通させて）第２の取り付け部４２ｄを壁パネル２ｅに固定する。
【００５１】
そして、図８にも示すように、壁部材２６の凹部２５ａに、一方の壁パネル２ｅから突出する実２７を嵌め込み、図９に示すように、壁部材２６の正面側及び背面側の少なくとも一方からねじ１３ｉ、１３ｊ等の締結具で固定する。これにより、実２７と壁部材２６とが一体に固定される。また、連結部材４ｃの第１の取り付け部４１ｃは、一方の壁パネル２ｄに固定され、第２の取り付け部４２ｃは他方の壁パネル２ｅに固定される。
【００５２】
以上説明したように、本実施形態における連結部材４ｃ、４ｄの取り付け方法は、隣接する２枚の壁パネル２ｄ、２ｅの間に挟まれた状態で、２枚の壁パネル２ｄ、２ｅを連結するように連結部材４ｃ、４ｄを取り付ける、連結部材４ｃ、４ｄの取り付け方法であって、第１の壁パネル２ｄは、実２７と壁部材２６とで構成され、連結部材４ｃ、４ｄの第１の取り付け部４１ｃ、４１ｄを実２７に取り付ける工程と、実２７に設けられた貫通孔２９ａ、２９ｂを挿通させた締結具（ねじ１３ｇ、１３ｈ）によって、連結部材４ｃ、４ｄの第２の取り付け部４２ｃ、４２ｄを第２の壁パネル２ｅに取り付ける工程と、実２７を壁部材２６に取り付ける工程と、を含む。
【００５３】
本実施形態における連結部材４ｃ、４ｄの取り付け方法は、第２の取り付け部４２ｃ、４２ｄを、壁パネル２ｅに固定する工程において、実２７に設けた貫通孔２９ａ、２９ｂを通過させた締結具（ねじ１３ｇ、１３ｈ）によって、第２の取り付け部４２ｃ、４２ｄを壁パネル２ｅに固定することで、容易に連結部材４ｃ、４ｄを壁パネル２ｅに取り付けることができる。
【００５４】
なお、本実施形態においても、先の実施形態と同様に、連結部材４ｃ、４ｄによる安定した制振効果を得ることができる。また、本例によれば、図２に示す壁パネル２ａの貫通孔１４ａ、１４ｂのように、壁部材２６に貫通孔を設ける必要がないため、加工が容易となり、また、壁部材２６に貫通孔を設ける必要がないので、壁部材２６の強度及び断熱性能等の点でも有利である。
【００５５】
また、接合部３に実２７を設けることにより、接合部３の止水機能（防水性能）や防火性能を高めることができる。このため、本例の壁構造２０は、建物の外壁としての使用に特に適している。
【００５６】
また、本例では、実２７で構成される凸部２１及び凹部２２を介して隣接する壁パネル２ｄ、２ｅを接続していることにより、当該隣接する壁パネル２ｄ、２ｅ相互の、厚さ方向のずれを防止することも可能となる。
【００５７】
なお、本例では、壁パネル２ｄが、それぞれ別々に形成される壁部材２６と実２７で構成される構成としているが、これに限られず、壁パネル２ｄの端面に凸部を一体に設けた構成としてもよい。
【００５８】
なお、本例のように、連結部材４ｃ、４ｄと実２７との当接面において、連結部材４ｃ、４ｄの壁パネル２ｄ、２ｅの厚さ方向の長さ（連結部材４ｃ、４ｄの幅）は、実２７の壁パネル２ｄ、２ｅの厚さ方向の長さ（実２７の幅）よりも短いことが好ましい。このように、連結部材４ｃ、４ｄの幅が実２７の幅よりも小さいことにより、連結部材４ｃ、４ｄを壁パネル２ｅの凹部２２内に収めることができる。
【００５９】
ここで、図１０は、軽量気泡コンクリートパネルからなる壁パネルを備えた壁構造である外壁３１と、木質板からなる壁パネル２を備える本発明の壁構造の外壁３２と、を組み合わせた建物３０の平面図を示している。外壁３２は、例えば上述の本発明の壁構造１または壁構造２０とすることができる。
【００６０】
建物３０は、平面視での外形が長辺と短辺を有する略矩形状の建物である。ここで、「長辺と短辺を有する略矩形状の建物」とは、平面視での外形が長方形となる建物に限られず、部分的に、外側に突出する部分、及び内側に凹となる部分の少なくとも何れかを有する建物を含むものであり、少なくとも長辺方向及び短辺方向に延在する壁（外壁又は間仕切壁）を有していればよい。
【００６１】
図１０に示すように、平面視で長方形となっている建物３０の短辺を構成する外壁３２は、長辺を構成する外壁３１に比べて地震等の揺れによる変形が生じ易いところ、当該外壁３２に本発明の壁構造を採用することで、効果的に建物３０の耐震性を高めることができる。また、図１０に示す例では、短辺に平行な間仕切壁３３にも本発明の壁構造を採用し、さらに耐震性を高めている。
【００６２】
また、図１０に示すように、隣接する他の建物４０、５０に面している建物３０の外壁３１を、軽量気泡コンクリートパネルを備えた壁構造とすることで、建物３０の耐火性を効果的に高めることができる。
【００６３】
図１１、１２は、連結部材４の取り付け方法の変形例を、平面視での断面図で示している。図１１に示す例では、隣接する２枚の壁パネル２ｆ、２ｇが、その接合部３において、部分的に厚さ方向に重なるように配置されている。また、連結部材４ｅは、壁パネル２ｆの端部に設けられた薄板部７１と、壁パネル２ｇの端部に設けられた薄板部７２との間で、２枚の壁パネル２ｆ、２ｇを連結するように取り付けられ、壁パネル２ｆ、２ｇの厚さ方向に挟まれている。これにより、連結部材４ｅは、伸縮変形の際に、圧縮による座屈変形が抑制される。本例では、連結部材４ｅが板状であり、壁パネル２ｆ、２ｇの間で、連結部材４ｅが当該連結部材４ｅの厚さ方向に挟まれているため、連結部材４ｅの面外方向の座屈が抑制されている。
【００６４】
壁パネル２ｆ、２ｇに連結部材４ｅを取り付ける際には、先ず、第１の取り付け部４１ｅを壁パネル２ｆの薄板部７１に、ねじ１３ｋ等の締結具を用いて固定する。次いで、壁パネル２ｇの薄板部７２に、薄板部７１が重なるように壁パネル２ｆを配置し、薄板部７１に形成された貫通孔７３を挿通させたねじ１３ｍ等の締結具によって、第２の取り付け部４２ｅを壁パネル２ｇの薄板部７２に固定する。これにより、２枚の壁パネル２ｆ、２ｇが連結部材４ｅによって連結された状態となる。
【００６５】
このような構成とした場合、例えば、壁パネル２ｇの薄板部７２の裏面側（薄板部７１とは逆の面側）に柱や梁等の他の構造体が配置されていても、壁パネル２ｇに対して連結部材４ｅ及び壁パネル２ｆを取り付けることができる。
【００６６】
図１２に示す例では、隣接する２枚の壁パネル２ｈ、２ｉの端面６ｄ、６ｅに形成された溝７４、７５に連結部材４ｆが、２枚の壁パネル２ｈ、２ｉを連結するように取り付けられて配置されている。溝７４、７５の幅（壁パネル２ｈ、２ｉの厚さ方向の長さ）は、連結部材４ｆの厚さと同等に形成されており、溝７４、７５に配置された連結部材４ｆは、伸縮変形の際に、圧縮による座屈変形が抑制される。本例では、連結部材４ｆが板状であり、連結部材４ｆが当該連結部材４ｆの厚さ方向に壁パネル２ｈ、２ｉの溝７４、７５によって挟まれているため、連結部材４ｅの面外方向の座屈が抑制されている。
【００６７】
壁パネル２ｈ、２ｉに連結部材４ｆを取り付ける際には、例えば、壁パネル２ｈの溝７４に連結部材４ｆの第１の取り付け部４１ｆを挿入する。そして、壁パネル２ｈに形成された貫通孔７６を挿通させたねじ１３ｐ等の締結具で取り付け部４１ｆを壁パネル２ｈに取り付ける。次いで、壁パネル２ｉの溝７５に連結部材４ｆの第２の取り付け部４２ｆを挿入して、貫通孔７７を挿通させたねじ１３ｑ等の締結具で取り付け部４２ｆを壁パネル２ｉに取り付ける。これにより、２枚の壁パネル２ｈ、２ｉが連結部材４ｆによって連結された状態となる。
【００６８】
このような構成とした場合、連結部材４ｆは制振機能に加えて、実のように壁パネル２ｈ、２ｉ相互間での厚さ方向のずれを防止する機能も発揮することができる。なお、図１１、１２のように連結部材４ｅ、４ｆを配置する場合、図１３の正面図に示すように、連結部材４ｅ、４ｆの延在方向が水平方向となるように配置してもよいし、図１４の正面図に示すように、連結部材４ｅ、４ｆの延在方向が水平方向に対して傾斜していてもよい。あるいは、連結部材４ｅ、４ｆの延在方向が、図１等のように、鉛直方向となっていてもよい。
【００６９】
本発明は、上述した実施形態の構成に限定されるものではなく、特許請求の範囲で記載された内容を逸脱しない範囲で、様々な構成により実現することが可能である。例えば、図１、２、７に示す例では、隣接する壁パネル２の上下の２箇所に連結部材４を取り付けているが、これに限られず、壁パネル２の上下方向に１箇所のみ、または３箇所以上に連結部材４を取り付けてよい。また、壁構造１において複数形成される接合部３の全てに連結部材４を設けてもよいし、一部の接合部３のみに連結部材４を設けてもよい。
【００７０】
また、先の実施形態では、左右方向（水平方向）に隣接する２枚の壁パネル２の接合部に連結部材を取り付ける構成としていたが、上下方向（鉛直方向）に隣接する２枚の壁パネルの接合部に連結部材を配置する構成としてもよい。この場合、連結部材４を配置する位置は、同一階層の壁を構成する壁パネルの接合部でもよいし、異なる階層に位置する２枚の壁パネルの接合部に連結部材を配置してもよい。
【符号の説明】
【００７１】
１：壁構造
２（２ａ〜２ｉ）：壁パネル
３：接合部
４（４ａ〜４ｆ）：連結部材
５：壁パネル取付部
６（６ａ〜６ｅ）：端面（対向する面）
７：基礎
８：金物
９：取付金物
１０：ボルト
１１：梁
１２：壁受金物
１３（１３ａ〜１３ｑ）：ねじ
１４：貫通孔
１６：パネル取付金物
２０：壁構造
２１：凸部
２２：凹部
２３：凸部の先端面
２４：凹部の底面
２５ａ、２５ｂ：凹部
２６：壁部材
２７：実
２８ａ、２８ｂ：窪み部
２９ａ、２９ｂ：貫通孔
３０：建物
３１：外壁（長辺を構成する外壁）
３２：外壁（短辺を構成する外壁）
３３：間仕切壁
４１（４１ａ〜４１ｆ）：第１の取り付け部
４２（４２ａ〜４２ｆ）：第２の取り付け部
４３（４３ａ、４３ｂ）：くびれ部（壁パネルに対する各取り付け部の間の部分）
４４：孔
４０、５０：隣接する建物
６１（６１ａ、６１ｂ）：窪み部
７１、７２：薄板部
７３：貫通孔
７４、７５：溝
７６、７７：貫通孔
【図１】
2019100140.tif 000003
【図２】
2019100140.tif 000004
【図３】
2019100140.tif 000005
【図４】
2019100140.tif 000006
【図５】
2019100140.tif 000007
【図６】
2019100140.tif 000008
【図７】
2019100140.tif 000009
【図８】
2019100140.tif 000010
【図９】
2019100140.tif 000011
【図１０】
2019100140.tif 000012
【図１１】
2019100140.tif 000013
【図１２】
2019100140.tif 000014
【図１３】
2019100140.tif 000015
【図１４】
2019100140.tif 000016